(57)【要約】      （修正有）【課題】時間及び手間がかかっていた作業を改善する天井ファンモータを提供する。【解決手段】天井ファンモータは、１つのステータ２０を備える。ステータ２０には、１組のフック１６及び複数の巻線群２６が配設され、２つの巻線群２６を構成する１本のエナメル線２７がフック１６に掛止される。フック１６は、１つの連結部材１０に形成される。連結部材１０は、ステータ２０に固定される。ステータ２０は、１つの結合部を有する。結合部は、複数の組立孔２５を有する。連結部材１０は、１つの横向部１１を有する。横向部１１は、一端が折り曲げられてフック１６を有する直立部１５と、他端が反対方向に折り曲げられて組立孔２５に挿入される段差部１３とを有する。段差部１３は、横向部１１を支えて結合部の外表面に平らに載置される。段差部１３は、折り曲げられて１つの縦向部１４が形成される。【選択図】図３
0003229048.tif 000002
【実用新案登録請求の範囲】
【請求項１】
１つのステータを備え、前記ステータには、１組のフック及び複数の巻線群が配設され、２つの前記巻線群を構成する１本のエナメル線が前記フックに掛止され、
前記フックは、１つの連結部材に形成され、前記連結部材は、前記ステータに固定され、
前記ステータは、１つの結合部を有し、前記結合部は、複数の組立孔を有し、前記連結部材は、１つの横向部を有し、前記横向部は、一端が折り曲げられて前記フックを有する直立部と、他端が反対方向に折り曲げられて前記組立孔に挿入される段差部と、を有し、前記段差部は、前記横向部を支えて前記結合部の外表面に平らに載置され、
前記段差部は、折り曲げられて１つの縦向部が形成され、前記縦向部は、前記直立部に対して平行であり、前記組立孔から一部が露出され、
前記ステータの軸心には、１本の管が立設され、前記連結部材は、１つの横向部を有し、前記横向部は、内側が前記管に接続され、外側が折り曲げられて前記フックが形成され、
前記ステータは、１つの結合部材を有し、前記結合部材は、少なくとも１つの組立孔を有し、前記連結部材は、１つの直立部を有し、前記直立部の側辺には、１つの横向部が延設され、前記横向部には、前記フックが形成され、前記直立部の一端は、前記組立孔に挿入され、前記横向部は、前記フックとともに前記結合部材と一定の距離で間隔が開けられ、
前記ステータは、１つの固定ブロックを有し、前記固定ブロックは、少なくとも１つの組立孔を有し、前記連結部材は、１つの直立部を有し、前記直立部は、一端が折り曲げられて前記フックに形成され、他端が前記固定ブロックの前記組立孔に挿入されることを特徴とする、天井ファンモータ。
【考案の詳細な説明】
【技術分野】
【０００１】
本考案は、天井ファンモータに関するものである。
【背景技術】
【０００２】
図７に示すように、従来の天井ファンモータ８０は、１つのステータ８１を有する。１本の管８２は、ステータ８１の軸心に立設される。管８２の外側面に形成された１つのホール８３は、管８２の内側の１つの貫通孔８４に連通する。複数の巻線群８５は、ステータ８１の外側で、管８２の周囲に配置される。巻線群８５は、ステータ８１の周囲に複数回巻き付けられた１本のエナメル線８６である。天井ファンモータ８０の規格に応じ、２本のエナメル線８６を巻き付けて１本の電線８７を半田付けする。電線８７の自由端は、ホール８３及び貫通孔８４を介して管８２の外方に延びる。
【０００３】
巻線群８５が通電されると、電気エネルギーが磁気作用に変換し、磁気吸引力及び排斥力の２つの作用により、天井ファンモータ８０の１つのロータ（図示せず）がステータ８１に対して旋回する。そのため、エナメル線８６は、電線８７に接続され、天井ファンモータ８０が正常運転であるか否かに関しては、一般に経験豊富な作業員に依頼して判断・操作する。
【０００４】
また、エナメル線８６の本体は１本の金属線である。この金属線の外表面は、絶縁の１層のエナメル膜が付着される。作業期間中、作業員はエナメル線８６端部のエナメル膜を除去し、２本の金属線の露出端を電線８７の露出端に巻付けて半田付けし、１つのプラスチックスリーブ８８に一緒に挿入しなければならなかった。
【０００５】
特に、当該作業員は、１つのカッターを手で持って、エナメル膜を掻き除いていたため、時間がかかる上、怪我をし易いため危険であった。
【０００６】
また当該作業員は、最後に２本のバンド８９を用いて複数のプラスチックスリーブ８８を結束し、電気的に接続しなければならなかったため、手間及び時間がかかった。
【考案の概要】
【考案が解決しようとする課題】
【０００７】
本考案の目的は、１つのステータを備え、前記ステータには、１組のフック及び複数の巻線群が配設され、２つの前記巻線群を構成する１本のエナメル線が前記フックに掛止され、前記フックは、１つの連結部材に形成され、前記連結部材が前記ステータに固定される天井ファンモータを提供することにある。
【図面の簡単な説明】
【０００８】
【図１】本考案の連結部材の第１実施例を示す斜視図である。
【図２】本考案の連結部材のステータにおける配置図である。
【図３】本考案の連結部材と巻線群の対応関係を示す説明図である。
【図４】本考案の連結部材の第２実施例と巻線群との対応関係を示す説明図である。
【図５】本考案の連結部材の第３実施例のステータにおける配置図である。
【図６】本考案の連結部材の第４実施例のステータにおける配置図である。
【図７】従来の天井ファンモータを示す説明図である。
【考案を実施するための形態】
【０００９】
以下、図面により、本考案を具体的に説明する。もっとも、本考案は、かかる図面により限定されるものではない。
【００１０】
図１〜図３を参照する。図１〜図３に示すように、本考案の一実施形態に係る天井ファンモータの１つのステータ２０の周囲には、放射線状に延びた１組の柱体２１が配設される。当該組の柱体２１には、複数の巻線群２６が設けられる。これらの巻線群２６は、ステータ２０の頂面に立設された管２２の周囲に配置される。管２２の側部には、１つのホール２３が形成される。ステータ２０の頂面には、１つの結合ブロック２４が堅牢に固定される。結合ブロック２４には、複数の組立孔２５が形成される。
【００１１】
１組の連結部材１０は、ステータ２０の頂面に配設される。連結部材１０は、１つの横向部１１を有する。横向部１１は、一端が折り曲げられて形成された１つの直立部１５と、他端が反対方向に折り曲げられて形成された１つの段差部１３と、を有する。段差部１３は、折り曲げられて１つの縦向部１４に形成される。縦向部１４は、直立部１５に対して平行であり、両者は連結部材１０の両側に同じ方向に折り曲げられて形成される。横向部１１及び直立部１５には、１本のＵ字状スリットが形成されて１つの矩形状プレートが形成される。この矩形状プレートは、直立部１５の外側に向かって折り曲げられてフック１６が形成され、スリットが１つの長孔１２に形成される。
【００１２】
段差部１３は、組立孔２５に挿入される。連結部材１０は、ステータ２０に固定される。段差部１３は、横向部１１を支えて結合ブロック２４の外表面に平らに載置され、縦向部１４の一部が組立孔２５から露出され、２つの巻線群２６に接続された１本のエナメル線２７がフック１６に掛止される。
【００１３】
図４を参照する。図４に示すように、本考案の連結部材の第２実施例は、第１実施例と異なり、連結部材３０には、直立部、長孔、段差部及び縦向部が設けられていない。
【００１４】
そのため、横向部３１の内側３２と管２２とを接続し、連結部材３０をステータ２０に固定する。横向部３１の外側３３を折り曲げてフック３４を形成し、フック３４を用いて２つの巻線群２６のエナメル線２７を掛止して接続する。
【００１５】
また、横向部３１は、二等辺三角形を呈し、その他連結部材３０の横向部３１を組み合わせて円形状に形成してもよい。
【００１６】
図５を参照する。図５に示すように、本考案の連結部材の第３実施例は、第１実施例と異なり、連結部材４０には、長孔、段差部及び縦向部が設けられていない。
【００１７】
詳細には、ステータ２０は、１つの結合部材５０を有する。結合部材５０は、少なくとも１つの組立孔５２を有する。上述した連結部材４０は、Ｔ字状体である。直立部４１の側辺には、横向部４２が延設されている。横向部４２の単辺には、２つのフック４３が形成されている。
【００１８】
直立部４１の一端は、組立孔５２に挿入される。横向部４２は、フック４３とともに結合部材５０と一定の距離で間隔が開けられる。フック４３には、同様にエナメル線が掛止される。
【００１９】
図６を参照する。図６に示すように、本考案の連結部材の第４実施例は、第１実施例と異なり、連結部材６０には、横向部、長孔、段差部及び縦向部が設けられていない。
【００２０】
上述した直立部６２は、一端が折り曲げられてフック６４が形成され、固定ブロック７０が挿入される組立孔７２が他端に形成されている。固定ブロック７０がステータ２０に堅牢に固定されるため、連結部材６０がステータ２０に固定され、エナメル線を掛止するフック６４を支える。
【００２１】
本考案の天井ファンモータは、フックを用いてエナメル線が動かないように固定し、エナメル線を、フック、電線及び連結部材に自動的に半田付けすることができるため、２本の金属線を巻き付けて電線を半田付けする手作業を代替し、時間及び手間がかかっていた従来技術の問題点を改善する。
【符号の説明】
【００２２】
１０  連結部材
１１  横向部
１２  長孔
１３  段差部
１４  縦向部
１５  直立部
１６  フック
２０  ステータ
２１  柱体
２２  管
２３  ホール
２４  結合ブロック
２５  組立孔
２６  巻線群
２７  エナメル線
３０  連結部材
３１  横向部
３２  内側
３３  外側
３４  フック
４０  連結部材
４１  直立部
４２  横向部
４３  フック
５０  結合部材
５２  組立孔
６０  連結部材
６２  直立部
６４  フック
７０  固定ブロック
７２  組立孔
８０  天井ファンモータ
８１  ステータ
８２  管
８３  ホール
８４  貫通孔
８５  巻線群
８６  エナメル線
８７  電線
８８  プラスチックスリーブ
８９  バンド
【図１】
0003229048.tif 000003
【図２】
0003229048.tif 000004
【図３】
0003229048.tif 000005
【図４】
0003229048.tif 000006
【図５】
0003229048.tif 000007
【図６】
0003229048.tif 000008
【図７】
0003229048.tif 000009